(57)【特許請求の範囲】
【請求項１】
転炉設備の炉体上部に設置されている炉口金物を交換するにあたり、転炉は直立状態で炉口金物を吊り点からずれた位置で吊ることのできる炉口金物交換装置を用いて、上部フードのみを移動させ、下部フード及びスカートを設置したままで、炉上部より炉口金物を搬入し、脱着することを特徴とする転炉炉口金物交換方法に用いる炉口金物交換装置であって、炉口金物を吊った場合（負荷状態）と吊っていない場合（無負荷状態）の両方の場合において、移動式カウンターウエイトを備えるか、及び／又は、炉口金物そのものを装置内で水平移動可能とし、吊り機構によって炉口金物交換装置の水平状態を維持できるようにしたことを特徴とする炉口金物交換装置。
【請求項２】
炉底分離式転炉設備の炉体上部の炉口金物を交換するにあたり、転炉は直立状態で、炉口金物を吊り点からずれた位置で吊ることのできる炉口金物交換装置を用いて、上部フードを移動させ、かつ、炉底を分離した状態で、下部フード及びスカートを設置したままで、炉底開口部より炉口金物を搬入し脱着することを特徴とする転炉炉口金物交換方法に用いる炉口金物交換装置であって、炉口金物を吊った場合（負荷状態）と吊っていない場合（無負荷状態）の両方の場合において、移動式カウンターウエイトを備えるか、及び／又は、炉口金物そのものを装置内で水平移動可能とし、吊り機構によって炉口金物交換装置の水平状態を維持できるようにしたことを特徴とする炉口金物交換装置。
【発明の詳細な説明】
【０００１】
【発明の属する技術分野】
この発明は、転炉の上部炉口部に取り付けられている炉口金物交換装置に関するものである。
【０００２】
【従来の技術】
炉口金物は、転炉炉口を保護し、炉体内張りレンガを押さえる目的で取り付けられている。また、円形の炉口に対して複数個に分割されており、個々に数本のピンとコッターまたはボルトとナット等によって炉口フランジに締結されている。
【０００３】
この炉口金物は吹錬中の溶融スラグアタックや付着地金カット時の溶融により先端部分から損耗し、レンガ押さえ等の機能保持ができなくなることから、ある周期で交換を余儀無くされている。炉口金物の交換に際しては、転炉上部に設置されているメンテナンス用ホイストクレーン等を用いて転炉上部より吊りこみ交換を行っている。このため特開平５−１３１５号公報に示されている炉口金物水冷方法の改善や特開平１０−１９５５１９号公報に示されている補修方法の改善等に見られるように炉口金物そのものの寿命を延長し交換頻度を少なくする工夫がなされてきた。
【０００４】
【発明が解決しようとする課題】
しかし、炉口金物交換そのものは、炉口金物配置上、下部フード及びスカート内径より炉口フランシボルドピッチ径は大きいために、上部フードのみの移動では、下部フード、スカートの内径開口部が炉口金物を転炉直上から吊りこむには狭く、上部フードに合わせ、下部フードおよびスカートを移動させ交換スペースを確保することが必要であり、炉口金物そのものの交換時間以外に他の設備移動の為に多くの時間を要してきた。また、炉口金物を炉口フランジ上に設置する際、炉口金物の炉口フランジとの接合面が水平状態で吊りこめないと接合に多大な時間を要す。
【０００５】
本発明は、上記した下部フードとスカートの取り外し、取り付けに数日かかっていた従来の炉口金物交換装置を改良して、短時間で炉口金物を交換することができる交換装置を提供することを目的とする。
【０００６】
【課題を解決するための手段】
本発明は上記課題を解決するものであって、その趣旨は次の通りである。
（１）転炉設備の炉体上部に設置されている炉口金物を交換するにあたり、転炉は直立状態で炉口金物を吊り点からずれた位置で吊ることのできる炉口金物交換装置を用いて、上部フードのみを移動させ、下部フード及びスカートを設置したままで、炉上部より炉口金物を搬入し、脱着することを特徴とする転炉炉口金物交換方法に用いる炉口金物交換装置であって、炉口金物を吊った場合（負荷状態）と吊っていない場合（無負荷状態）の両方の場合において、移動式カウンターウエイトを備えるか、及び／又は、炉口金物そのものを装置内で水平移動可能とし、吊り機構によって炉口金物交換装置の水平状態を維持できるようにしたことを特徴とする炉口金物交換装置。
（２）炉底分離式転炉設備の炉体上部の炉口金物を交換するにあたり、転炉は直立状態で、炉口金物を吊り点からずれた位置で吊ることのできる炉口金物交換装置を用いて、上部フードを移動させ、かつ、炉底を分離した状態で、下部フード及びスカートを設置したままで、炉底開口部より炉口金物を搬入し脱着することを特徴とする転炉炉口金物交換方法に用いる炉口金物交換装置であって、炉口金物を吊った場合（負荷状態）と吊っていない場合（無負荷状態）の両方の場合において、移動式カウンターウエイトを備えるか、及び／又は、炉口金物そのものを装置内で水平移動可能とし、吊り機構によって炉口金物交換装置の水平状態を維持できるようにしたことを特徴とする炉口金物交換装置。
【０００７】
【発明の実施の形態】
以下、本発明を図によって詳細に説明する。
図１は転炉設備の全体図を示す。転炉３上部に炉口金物５があり、その上部には、ガスを回収するためのスカート１、下部フード２、上部フード４があり、それらを通して転炉で発生したガスをガスホルダーなどに回収する。
従来炉口金物５を交換する際には、転炉３の上部にある上部フード４、下部フード２、スカート１すべてを退避させ、炉口金物の交換を行っており長時間を要していた。
図２は炉口金物５の一例を示した図である。図に示したような金物が４〜６個、転炉炉口部に円周状に設置されている。
【０００８】
図３は、炉口金物５と下部フード２、スカート１の位置関係を示した図である。転炉３が直立状態では、炉口金物５は下部フード２、スカート１の真下に位置し、真上への吊り上げ下げが不可能である。従って従来は、下部フード２、スカート１までも退避させており、これに長時間を要していた。本発明は、図中の矢印で示したようなルートで、下部フード２及びスカート１を退避させることなく、炉口金物５を吊り上げ下げする装置である。
【０００９】
図４は、本発明の装置を使用して炉口金物を交換している状態を示した図である。図は、転炉３上部を示しており、炉口金物５を交換する際には、図のように転炉周囲に作業用の円形デッキ８を設置している。転炉３の上部には図示していない上部フードは退避しているが、下部フード２とスカート１はその操業位置のままである。上から天井クレーン６に吊り下げた炉口交換装置７を炉口位置まで下げて、スカート１と転炉３の間から当装置７を炉口金物５に近付けて装置に炉口金物５を固定する。本図では、移動式のクランプ装置によって固定しているが、固定方法はこれに限らず何でも良く、例えば、図２に示したように吊りボルト孔を利用して吊り上げても良い。
【００１０】
炉口金物５を装置７に固定したあと炉口フランジ３ａから外して吊り上げるが、金物は４トン前後も重量があり、しかも吊り位置と炉口金物重心がＬだけ離れているので、そのままでは金物側に傾き、吊り上げが不可能となってしまう。本発明の装置においては、移動式のカウンターウエイト７ａを交換装置７上に有し、炉口金物５とバランスするようにその位置を移動したり、炉口金物５そのものを水平移動させる機能を有しており、炉口金物交換装置７の水平状態を維持する。図では、移動式カウンターウエイト７ａをリモコン操作スイッチにより作業者が吊り状況を見ながら機側で操作し、バランスするようにしている。バランスしたところでカウンターウエイト７ａを固定し、装置７及び炉口金物５をフード２及びスカート１と干渉しない位置まで水平移動し、交換を行う。
【００１１】
このことによって、スカート及び下部フードは移動せずに、炉口金物が交換できるので、交換に要する転炉の休止時間が大幅に短縮できる。
炉口金物の吊り上げ下げルートは転炉の上部デッキでも良いし、転炉が炉底分離式の転炉設備であれば、炉底の開口部を通して地上で行っても良い。
【００１２】
【実施例】
実機にて本発明を適用した。４トンの炉口金物に対し、内蔵した４トンのカウンターウエイトを電動で吊り点から反炉口金物方向に１１００mm移動できる炉口金物交換装置を用いて、金物重心に対し、１０００mmずれた位置で炉口金物を吊ることができた。
転炉上部のスカート下端と炉口金物上部との間隔が、８５０mmであり、かつ、内径約４６５０mmの下部フードを転炉上部に設置した状態で、炉口フランジ外径約６２５０mmにある炉口金物の交換を問題なく行うことができた。
【００１３】
【発明の効果】
従来の下部フードとスカートを移動しての炉口金物交換装置では、下部フードとスカートの取り外し、取り付けで数日かかっていたものが、本発明の交換装置を用いることにより、下部フードおよびスカートを取り外す必要がなくなり、かつ、炉口金物を水平状態で運搬できるようになったので炉口金物交換作業のみの時間で、従来の約１／４の時間で交換を行うことができる。
【図面の簡単な説明】
【図１】転炉設備全体の配置と本発明で交換を行う炉口金物の位置を示す模式図である。
【図２】転炉炉口フランジに締結される炉口金物の模式図である。
【図３】転炉上部のスカート及び下部フードの配置詳細炉口金物の上部からの搬入ルートを示す図である。
【図４】転炉上部のスカート及び下部フードの配置詳細と本発明の炉口金物交換装置を用いての交換状態を示す図である。
【符号の説明】
１    スカート
２    下部フード
３    転炉
３ａ  転炉炉口フランジ
４    上部フード
５    炉口金物
６    天井クレーン
７    炉口金物交換装置
７ａ  移動式カウンターウエイト
８    円形デッキ
【図１】
0003911143.tif 000002
【図２】
0003911143.tif 000003
【図３】
0003911143.tif 000004
【図４】
0003911143.tif 000005